(57)【要約】【課題】プレイリストの所望の位置に挿入もしくは上書きする映像音声素材を選択する際、選択の度に複数の映像音声素材の中から所望の映像音声素材を探し出す必要があり、時間を要していた。【解決手段】プレイリストの所望の位置に挿入もしくは上書きする映像音声素材を、映像音声素材一覧から選択させるのに際し、プレイリストの挿入もしくは上書き位置の１つ前に位置する映像音声素材に比べ、並び替え規則の並びでの前の順番にあたる全ての映像音声素材と、プレイリストの挿入もしくは上書き位置の１つ前に位置する映像音声素材を、前記並び替え手段により、並び替え規則の並びとは異なる位置へ移動する。【選択図】図３
2010021965.tif 000002
【特許請求の範囲】
【請求項１】
記録媒体に記録されている映像音声素材を所定の順序で並べた一覧を生成する一覧生成手段と、
前記一覧生成手段で生成された一覧から所望の映像音声素材を選択可能な素材選択手段と、
前記素材選択手段で選択された前記映像音声素材を再生順に並べたプレイリストを生成するプレイリスト生成手段と、
前記プレイリスト生成手段で生成されたプレイリストにおける所望の位置を指定可能な位置指定手段とを備えた映像音声編集支援装置であって、
前記一覧生成手段で生成された一覧に含まれる映像音声素材を所定の順序に並び替える並び替え手段を備え、
前記並び替え手段は、前記一覧を、前記プレイリストにおいて前記位置指定手段で指定された位置の１つ前に位置する映像音声素材に、前記所定の順序で連続する映像音声素材を、並べ替えるよう制御する、映像音声編集支援装置。
【請求項２】
前記並び替え手段は、前記位置指定手段で指定された位置の１つ前に位置する映像音声素材の前の順番にあたる全ての映像音声素材と、前記プレイリストへの映像音声素材の追加位置の１つ前に位置する映像音声素材とを、前記並び替え規則での並びとは異なる位置へ移動するよう制御する、請求項１記載の映像音声編集支援装置。
【請求項３】
前記一覧生成手段は、前記映像音声素材を記録開始日時順に並べた一覧を生成する、請求項１に記載の映像音声支援装置。
【請求項４】
前記並び替え手段は、前記位置指定手段で指定された位置の１つ前に位置する映像音声素材の前の順番にあたる全ての映像音声素材と、前記プレイリストへの映像音声素材の追加位置の１つ前に位置する映像音声素材とを、前記並び替え規則の並びの下位の位置へ移動するよう制御する、請求項１記載の映像音声編集支援装置。
【発明の詳細な説明】
【技術分野】
【０００１】
本発明は、ＨＤＤ（ハードディスクドライブ）、半導体メディアなどの記録媒体上での映像音声素材の編集（ノンリニア編集）において、複数の映像音声素材を再生したい順番に並べたプレイリストの作成を効率的に行う映像音声編集支援装置に関するものである。
【背景技術】
【０００２】
ノンリニア編集における、ＨＤＤ、半導体メディアなどの記録媒体上の複数の映像音声素材は、映像音声素材名や記録開始日時、開始タイムコードといったメタデータを所有している。従来のプレイリスト作成においては、プレイリストの所望の位置に挿入もしくは上書きする映像音声素材を選択するのに使用する映像音声素材一覧は、それぞれの映像音声素材のメタデータを利用して、例えば、記録開始日時順などの一定の並び替え規則に従い並んでおり、常に固定された並びの中から必要な映像音声素材を探し出すものであった。
【０００３】
図４は、従来のプレイリスト編集の手順を示す。図４に示すように、プレイリストを編集する際は、既に作成済みのプレイリストの所望の位置に、挿入もしくは上書きする映像音声素材を選択するのに使用する映像音声素材一覧における並び順を決めるために、例えば、記録開始日時順などの所定の並び替え規則をユーザに指定させる（手順Ｓ１０１）。
【０００４】
次に、手順Ｓ１０１で指定した所定の並び替え規則に従って、記録媒体に記録されている複数の映像音声素材の一覧を並び替える（手順Ｓ１０２）。
【０００５】
次に、手順Ｓ１０２で並び替えられた映像音声素材の一覧を表示する（手順Ｓ１０３）。
【０００６】
次に、映像音声素材のプレイリストへの挿入もしくは上書き位置をユーザに指定させる（手順Ｓ１０４）。なお、手順Ｓ１０４における映像音声素材の挿入か上書きかの選択は、手順Ｓ１０４の操作時に選択することが可能である。
【０００７】
次に、手順Ｓ１０３で表示された映像音声素材一覧から、手順Ｓ１０４で指定した位置へ挿入もしくは上書きする映像音声素材をユーザに選択させる（手順Ｓ１０５）。
【０００８】
以降、プレイリストの編集が終了するまで、手順Ｓ１０４及びＳ１０５を繰り返す。
【０００９】
図５は、従来のプレイリストの作成例を示す。図５において、映像音声素材一覧１０１には、ＨＤＤなどの記録媒体に記録されている映像音声素材の一覧を示し、アルファベットは映像音声素材のタイトルであり、日付はその映像音声素材が記録媒体に記録された日付である。なお、図５に示す例では、記録媒体に、アルファベット順に映像音声素材Ａから映像音声素材Ｚまでの２６個の映像音声素材が格納されているものとする。これらは、映像音声素材Ａからアルファベット順に１月１日から１月２６日に亘って１日毎に記録した映像音声素材とする。また、映像音声素材一覧１０１に同時に表示可能な映像音声素材の数は５個とする。また、映像音声素材一覧１０１の初期状態では、記録開始日時順に映像音声素材を表示するものとする。また、プレイリスト１０２には、現時点で、映像音声素材Ａ（リストの１番目）と映像音声素材Ｖ（リストの２番目）との２つの映像音声素材の情報が登録されているものとする。
【特許文献１】特開平１１−２７５５２８号公報
【発明の開示】
【発明が解決しようとする課題】
【００１０】
しかしながら前記従来の構成では、映像音声素材一覧１０１に含まれる映像音声素材は、記録開始日時順などの固定の並び順で並んでいるため、プレイリストを作成するために映像音声素材一覧１０１の中から所望の映像音声素材を選択する際、所望の映像音声素材を探すのに時間がかかり、映像音声素材の選択作業に時間を要するという課題を有していた。
【００１１】
図５において、プレイリスト１０２の３番目の登録位置１０２ａに、映像音声素材一覧１０１における映像音声素材Ｘを挿入する場合、まず映像音声素材一覧１０１において映像音声素材Ｘを選択する必要がある。しかし、図５に示す初期状態では、映像音声素材一覧１０１には記録開始日時順に並んだ映像音声素材Ａ，Ｂ，Ｃ，Ｄ，Ｅの５個がこの並びで表示されており、映像音声素材Ｘは表示されていない。したがって、映像音声素材一覧１０１の表示をスクロールさせ、例えば一覧１０１ａに示すように映像音声素材Ｘが含まれる一覧を表示させる。次に、表示された一覧１０１ａの中から映像音声素材Ｘを選択し、プレイリスト１０２に挿入する操作を行うことで、プレイリスト１０１の登録位置１０２ａに映像音声素材Ｘを登録することができる。
【００１２】
本発明は、複数の映像音声素材を効率的に並び替える映像音声編集支援装置を提供することを目的とする。
【課題を解決するための手段】
【００１３】
本発明の映像音声編集支援装置は、記録媒体に記録されている映像音声素材を所定の順序で並べた一覧を生成する一覧生成手段と、前記一覧生成手段で生成された一覧から所望の映像音声素材を選択可能な素材選択手段と、前記素材選択手段で選択された前記映像音声素材を再生順に並べたプレイリストを生成するプレイリスト生成手段と、前記プレイリスト生成手段で生成されたプレイリストにおける所望の位置を指定可能な位置指定手段とを備えた映像音声編集支援装置であって、前記一覧生成手段で生成された一覧に含まれる映像音声素材を所定の順序に並び替える並び替え手段を備え、前記並び替え手段は、前記一覧を、前記プレイリストにおいて前記位置指定手段で指定された位置の１つ前に位置する映像音声素材に、前記所定の順序で連続する映像音声素材を、並べ替えるよう制御するものである。
【発明の効果】
【００１４】
本発明の映像音声編集支援装置によれば、選択される可能性の高い映像音声素材を映像音声素材一覧の並びの先頭付近に集めるため、全ての映像音声素材を見ることなく映像音声素材の選択を行うことでき、所望の映像音声素材を探す時間を短縮することができる。よって、プレイリストを作成する時間を短縮することができる。
【発明を実施するための最良の形態】
【００１５】
本発明の映像音声編集支援装置は、上記構成を基本として、以下のような態様をとることができる。
【００１６】
すなわち、本発明の映像音声編集支援装置において、前記並び替え手段は、前記位置指定手段で指定された位置の１つ前に位置する映像音声素材の前の順番にあたる全ての映像音声素材と、前記プレイリストへの映像音声素材の追加位置の１つ前に位置する映像音声素材とを、前記並び替え規則での並びとは異なる位置へ移動するよう制御する構成とすることができる。
【００１７】
また、前記一覧生成手段は、前記映像音声素材を記録開始日時順に並べた一覧を生成する構成とすることができる。
【００１８】
また、前記並び替え手段は、前記位置指定手段で指定された位置の１つ前に位置する映像音声素材の前の順番にあたる全ての映像音声素材と、前記プレイリストへの映像音声素材の追加位置の１つ前に位置する映像音声素材とを、前記並び替え規則の並びの下位の位置へ移動するよう制御する構成とすることができる。
【００１９】
（実施の形態）
図１は、実施の形態における映像音声編集支援装置の構成を示すブロック図である。
【００２０】
図１において、記録媒体２０１は、映像音声の再生に必要な複数の映像音声データと、それに付随する映像音声素材名（タイトル）、記録開始日時、開始タイムコードなどのメタデータとを格納している。記録媒体２０１は、例えばＨＤＤ、半導体メディアなどで構成されている。
【００２１】
映像音声素材管理部２０２は、プレイリストを作成するのに必要な映像音声素材を管理する手段である。映像音声素材管理部２０２は、映像音声素材選択部２０３、映像音声素材一覧表示制御部２０４、並び替え部２０５、および並び替え規則指定部２０６を備えている。
【００２２】
映像音声素材選択部２０３は、ユーザーによる映像音声素材の選択操作を受け付ける。映像音声素材選択部２０３は、例えば、映像音声素材一覧表示制御部２０４に表示される映像音声素材一覧において、所望の映像音声素材にカーソルを移動させることができるカーソルキーや、カーソルで指定されている映像音声素材をプレイリストに追加するための操作を行うことができる操作ボタンなどで構成されている。
【００２３】
映像音声素材一覧表示制御部２０４は、記録媒体２０１に格納された各映像音声素材のメタデータを取得し、選択に必要な映像音声素材を一意に示す情報として利用し、映像音声素材一覧を生成する。映像音声素材一覧表示制御部２０４は、生成した映像音声素材一覧を表示部２１０に表示させる。また、映像音声素材一覧表示制御部２０４は、例えば、本装置に外部接続された映像表示が可能なディスプレイや、本装置に搭載された映像表示が可能なディスプレイなどで構成された表示部２１０に、映像音声素材一覧を表示することができる。
【００２４】
並び替え部２０５は、並び替え規則指定部２０６において指定された並び替え規則に従い、映像音声素材一覧表示制御部２０４で生成された映像音声素材一覧に対し、並び替え処理を行う。
【００２５】
並び替え規則指定部２０６は、ユーザーによる並び替え規則の指定操作を受け付ける。並び替え規則は、例えば、各映像音声素材のメタデータに映像音声素材名、記録開始日時、開始タイムコードが含まれている場合は、映像音声素材名のアルファベット順、記録開始日時順、開始タイムコード順などがある。また、これらの並び替え規則を逆順（例えばアルファベット順の場合はＺ，Ｙ，Ｘ…，Ａ）に並び替える規則がある。
【００２６】
プレイリスト管理部２０７は、映像音声素材管理部２０２で選択された映像音声素材で構成されたプレイリストを管理することができる。プレイリスト管理部２０７は、プレイリスト表示制御部２０８、および位置指定部２０９を備えている。
【００２７】
プレイリスト表示制御部２０８は、映像音声素材選択部２０３より選択された映像音声素材を再生順に並べたプレイリストを、表示部２１０に表示するよう制御する。
【００２８】
位置指定部２０９は、ユーザーによる、プレイリストにおける映像音声素材の挿入もしくは上書き位置の指定操作を受け付ける。ユーザーにより位置指定部２０９が操作された場合、プレイリスト表示制御部２０８は表示部２１０に表示されているプレイリストの所定の位置に、映像音声素材選択部２０３で選択された映像音声素材を挿入または上書きすることができる。ここで「挿入」とは、映像音声素材選択部２０３で選択された新たな映像音声素材を、プレイリストにおける位置指定部２０９で指定された位置へ追加し、位置指定部２０９で指定された位置以降の映像音声素材を、新たに追加された映像音声素材の後ろへ移動させる操作のことである。また、「上書き」とは、映像音声素材選択部２０３で選択された新たな映像音声素材を、プレイリストにおける位置指定部２０９で指定された位置に予め存在している映像音声素材と置き換える操作のことである。ユーザーによる挿入か上書きかの選択は、ユーザーが位置指定部２０９を操作して位置指定を行う時に選択することが可能である。また、「追加」とは、挿入と上書きの両方を含むものとする。
【００２９】
図２は、本実施の形態におけるプレイリスト作成の手順を示す。
【００３０】
まず、並び替え規則指定部２０６は、ユーザーによる並び替え規則の指定操作を受け付け、プレイリストの所望の位置に挿入もしくは上書きする映像音声素材を選択するのに使用する映像音声素材一覧における並び順（並び替え規則）を決定する。映像音声素材一覧の並び替え規則は、例えば、記録開始日時順がある（手順Ｓ１）。
【００３１】
次に、並び替え部２０５は、並び替え規則指定部２０６で指定された並び替え規則に従って、記録媒体２０１に記録されている複数の映像音声素材の一覧を並び替える（手順Ｓ２）。
【００３２】
次に、映像音声素材一覧表示制御部２０４は、並び替え部２０５において並び替えられた映像音声素材の一覧を表示部２１０に表示するよう制御する。表示部２１０は、映像音声素材一覧表示制御部２０４からの制御により、映像音声素材一覧を表示する（手順Ｓ３）。
【００３３】
次に、位置指定部２０９は、ユーザーによるプレイリストへの映像音声素材の挿入もしくは上書き位置の指定操作を受け付ける（手順Ｓ４）。なお、映像音声素材の挿入または上書きの選択は、手順Ｓ４の操作時に選択することが可能である。
【００３４】
次に、並び替え部２０５は、手順Ｓ２の並び順において、手順Ｓ４で指定された位置の１つ前に位置する映像音声素材およびそれ以前の順番にあたる全ての映像音声素材を、手順Ｓ２の並びとは異なる位置へ移動する（手順Ｓ５）。なお、「異なる位置」は、例えば手順Ｓ２の並びの下位の位置とすることができる。並び替え部２０５は、映像音声素材をこの位置への移動させることで、残りの映像音声素材が手順Ｓ２の並びの上位となるように並び替える。
【００３５】
次に、映像音声素材一覧表示制御部２０４は、手順Ｓ５で並び替えられた映像音声素材の一覧を、表示部２１０に表示するよう制御する（手順Ｓ６）。
【００３６】
次に、映像音声素材選択部２０３は、ユーザーによる、手順Ｓ６で表示された映像音声素材一覧より、手順Ｓ４で指定された位置へ挿入もしくは上書きする映像音声素材を選択する操作を受け付ける（手順Ｓ７）。
【００３７】
以降、手順Ｓ４〜手順Ｓ７を繰り返し、プレイリストを作成する（手順Ｓ８）。
【００３８】
図３は、実施の形態におけるプレイリストの作成例を示した図である。例えば、過去から現在までのドキュメンタリー形式の映像音声を作成する場合、プレイリストを構成する映像音声素材は記録開始日時の古いものから順番に並ぶ傾向にある。このとき、プレイリストに挿入もしくは上書きするために選択されうる映像音声素材は、挿入もしくは上書き位置の１つ前に位置する映像音声素材に比べて、新しい記録開始日時を持つ映像音声素材である可能性が高い。
【００３９】
以下、プレイリストの作成手順について説明する。まず、図３（ａ）に示すように、記録媒体２０１に、アルファベット順にＡからＺまでの２６個の映像音声素材が格納されているものとする。これらの映像音声素材は、映像音声素材Ａからアルファベット順に１月１日から１月２６日に亘って１日毎に記録した映像音声素材とする。また、プレイリスト３０２は、現時点で１番目の映像音声素材として映像音声素材Ａ、２番目の映像音声素材として映像音声素材Ｖの２つの映像音声素材が登録されているものとする。また、映像音声素材一覧３０１で表示できる映像音声素材の個数には限りがあり（本実施の形態では５個）、並び替え規則として「記録開始日時順」が指定されているときには、映像音声素材一覧３０１には図３（ａ）に示すように、記録開始日時順に並んだ映像音声素材Ａ、Ｂ、Ｃ、Ｄ、Ｅの５個の映像音声素材が、この並びで表示される。
【００４０】
プレイリスト３０２の３番目の位置３０２ａに挿入する映像音声素材として、映像音声素材一覧３０１から映像音声素材Ｘを選択する場合、まず、位置指定部２０９を操作してプレイリスト３０２の３番目の位置３０２ａに挿入位置を設定する。それにより、映像音声素材一覧表示制御部２０４は、記録開始日時順の並びでのプレイリスト３０２の挿入位置３０２ａの１つ前に位置する映像音声素材Ｖおよびそれ以前の順番にあたる映像音声素材Ａ〜Ｕを、記録開始日時順の下位の位置に移動させた映像音声素材一覧を、表示部２１０に表示するよう制御する。すなわち、図３（ｂ）に示すように、映像音声素材一覧表示制御部２０４は、映像音声素材Ｗ，Ｘ，Ｙ，Ｚ，Ａが上位に並ぶ映像音声素材一覧３０３を表示部２１０に表示するよう制御する。
【００４１】
ユーザーは、表示部２１０に表示される図３（ｂ）に示す映像音声素材一覧３０３を参照しながら映像音声素材選択部２０３を操作し、所望の映像音声素材Ｘを選択する。選択された映像音声素材Ｘは、プレイリスト３０４の挿入位置３０４ａに挿入される。プレイリスト表示制御部２０８は、表示部２１０にプレイリスト３０４を表示するよう制御する。
【００４２】
以上のように本実施の形態によれば、選択される可能性の高い映像音声素材が、映像音声素材一覧の先頭付近に集まるため、映像音声素材一覧をスクロールさせて全ての映像音声素材を参照することなく所望の映像音声素材の選択を行うことでき、目的のプレイリストを構成する映像音声素材を選択する時間を短縮することができる。図３（ｂ）は、この並び替えを行った後の映像音声素材一覧を示している。プレイリストにおける３番目の位置に挿入する映像音声素材として映像音声素材Ｘを選択する場合、映像音声素材Ｘは初期状態で映像音声素材一覧に表示されているため、映像音声素材一覧をスクロールして探し出すことなく選択することが可能である。
【００４３】
なお、本実施の形態において、映像音声素材をプレイリストに挿入もしくは上書きする位置の後に映像音声素材が存在しない例（図３（ａ）に示すプレイリスト３０２では、位置３０２ａ以降に映像音声素材が無い）を示したが、映像音声素材が存在する場合においても同様の動作を行うことが可能である。この時、映像音声素材の「挿入」が選択されている場合は、挿入位置に既に存在している映像音声素材およびそれ以降の映像音声素材を１つ下段にずらし、空いた位置に映像音声素材を挿入する。また、映像音声素材の「上書き」が選択されている場合は、挿入位置に既に存在している映像音声素材を消去（映像音声データそのものは消去せず、一覧上における表示を消去）し、空いた位置に映像音声素材を挿入する。
【００４４】
また、本実施の形態では、映像音声素材一覧に表示する映像音声素材を記録開始日時順としたが、映像音声素材のタイトルのアルファベット順や開始タイムコード順であってもよい。例えば、並び替え規則指定部２０６でタイトルのアルファベット順が指定され、現時点のプレイリストの状態がプレイリスト３０２であり、新たに映像音声素材を挿入する位置として位置３０２ａが指定された場合、並び替え部２０５は、位置３０２ａの１つ前に位置する映像音声素材Ｖおよびそれ以前の順番にあたる映像音声素材Ａ〜Ｕを、アルファベット順の下位の位置に移動させ、映像音声素材Ｗ，Ｘ，Ｙ，Ｚ，Ａが一覧の上位に並ぶように映像音声素材一覧を並び替える。
【００４５】
また、本実施の形態における映像音声素材一覧表示制御部２０４は、本発明における一覧生成手段の一例である。また、本実施の形態における映像音声素材選択部２０３は、本発明における素材選択手段の一例である。また、本実施の形態におけるプレイリスト表示制御部２０８は、本発明におけるプレイリスト生成手段の一例である。また、本実施の形態における位置指定部２０９は、本発明における位置指定手段の一例である。また、本実施の形態における並び替え部２０５は、本発明における並び替え手段の一例である。
【産業上の利用可能性】
【００４６】
本発明にかかる映像音声編集支援装置は、プレイリストを構成する映像音声素材を選択する時間を短縮することが可能になるので、ノンリニア編集におけるプレイリスト作成等として有用である。
【図面の簡単な説明】
【００４７】
【図１】実施の形態における映像音声編集支援装置の構成を示すブロック図
【図２】実施の形態におけるプレイリスト作成手順を示すフローチャート
【図３】実施の形態におけるプレイリスト作成例を示す模式図
【図４】従来のプレイリスト作成手順を示すフローチャート
【図５】従来のプレイリスト作成例を示す模式図
【符号の説明】
【００４８】
２０１  記録媒体
２０２  映像音声素材管理部
２０３  映像音声素材選択部
２０４  映像音声素材一覧表示制御部
２０５  並び替え部
２０６  並び替え規則指定部
２０７  プレイリスト管理部
２０８  プレイリスト表示制御部
２０９  位置指定部
【図１】
2010021965.tif 000003
【図２】
2010021965.tif 000004
【図３】
2010021965.tif 000005
【図４】
2010021965.tif 000006
【図５】
2010021965.tif 000007